Podtech/llm-jp-corpus-v4-ja_patent huggingface dataset:
(57)【特許請求の範囲】
【請求項１】
撥水し透過できる板、シート又は物（１）において、撥水性能ロータス効果を保った上で、撥水の為の突起物（２）を分散配置して、透過性部分（３）、つまり突起物以外の隙間の部分の面積を９９％以上設けて形成してなる事を特徴とする撥水し透過できる板、シート又は物。
【発明の詳細な説明】
【技術分野】
【０００１】この発明は、撥水できる板、シート又は物において車のフロントガラス同様の透過性能を持たせた、撥水し透過できる板、シート又は物に関するものである。
【背景技術】
【０００２】従来、撥水できる板、シート又は物は、撥水性能のみを追い求め重視していた為、車のフロントガラス同様の透過性能を持つものが無く、用途が限られていた。
また、撥水のロータス効果性能を持たせる為の突起物は極小の為、従来の技術では作成が難しかったが、現代のナノメートルレベルのハイテク技術を用いれば作成可能な時代となった。
【先行技術文献】
【特許文献】
【０００３】
【特許文献１】
【発明の概要】
【発明が解決しようとする課題】
【０００４】これは次のような欠点があった。
従来、撥水できる板、シート又は物は、車のフロントガラス同様の透過性が無く用途が限られており不便であった。
本発明は、以上のような欠点をなくすためになされたものである。
【課題を解決するための手段】
【０００５】透過できる板、シート又は物に、撥水性能ロータス効果を有した上で、車のフロントガラス同様の透過性能を持たせる為、透過性の部分の面積を９９％以上設け形成する。
本発明は、以上の構成よりなる透過性能を持たせた撥水できる板、シート又は物である。
【発明の効果】
【０００６】撥水できる板、シート又は物に、車のフロントガラス同様の透過性能を持たせた為、従来使用できなかった場所に設置することができ便利で快適になる。
また撥水コーティング等を用いて撥水するタイプと異なり、形状で撥水するので効果がずっと続く。
例えば、撥水ガラス板として自動車のフロントガラスに使用、ビルの窓に使用できる。
そうすれば、自動車のフロントガラスは水を弾き続け、ビルの窓拭きが不要となる。
【図面の簡単な説明】
【０００７】
【図１】  本発明の斜視図である。
【図２】  本発明の斜視図である。
【発明を実施するための形態】
【０００８】以下、本発明を実施するための形態について説明する。
透過できる板、シート又は物（１）の、表面すべてを撥水性能ロータス効果を最大限に得るべく突起物で覆い尽くすのではなく、撥水性能ロータス効果を保った上で、撥水の為の突起物（２）を分散させて配置し、透過性部分（３）、つまり突起物以外の隙間の部分の面積を９９％以上設けて形成する。
本発明は、以上のような構造である。
これを使用するときは、使用用途に応じて必要な、車のフロントガラス同様の透過性能を持たせた撥水できる板、シート又は物を必要な場所に設置すればよい。
【符号の説明】
【０００９】１    透過できる板、シートおよび物
２    撥水の為の突起物
３    透過性部分
４    極小水滴粒
【図１】
0006388265.tif 000002
【図２】
0006388265.tif 000003
(57)【特許請求の範囲】
【請求項１】
0006309544.tif 000039
0006309544.tif 000040
【請求項２】
0006309544.tif 000041
【請求項３】
0006309544.tif 000042
0006309544.tif 000043
【請求項４】
0006309544.tif 000044
【請求項５】
0006309544.tif 000045
【請求項６】
0006309544.tif 000046
【請求項７】
0006309544.tif 000047
【請求項８】
0006309544.tif 000048
【請求項９】
0006309544.tif 000049
0006309544.tif 000050
【請求項１０】
0006309544.tif 000051
【請求項１１】
0006309544.tif 000052
0006309544.tif 000053
【請求項１２】
0006309544.tif 000054
【請求項１３】
0006309544.tif 000055
【請求項１４】
0006309544.tif 000056
【請求項１５】
0006309544.tif 000057
【請求項１６】
0006309544.tif 000058
【発明の詳細な説明】
【技術分野】
【０００１】
本発明は通信技術に関し、特にＰＵＣＣＨ電力制御方法及び装置に関する。
【背景技術】
【０００２】
0006309544.tif 000002
【０００３】
0006309544.tif 000003
【０００４】
0006309544.tif 000004
【０００５】
0006309544.tif 000005
【０００６】
0006309544.tif 000006
0006309544.tif 000007
【０００７】
0006309544.tif 000008
【図面の簡単な説明】
【０００８】
【図１】図１は従来技術のＬＴＥセルキャリア分布図である。
【図２】図２は従来技術のＬＴＥ-Ａキャリアアグリゲーションを示す図である。
【図３ａ】図３ａは従来技術のデュープレックス仕様を示す図（１）である。
【図３ｂ】図３ｂは従来技術のデュープレックス仕様を示す図（２）である。
【図３ｃ】図３ｃは従来技術のデュープレックス仕様を示す図（３である。
【図４】図４は従来技術のキャリア組に基づくＰＵＣＣＨ送信仕様を示す図である。
【図５】図５は本発明に係る実施例のＰＵＣＣＨ電力制御方法のフローチャートである。
【図６】図６は本発明に係る実施例のＰＵＣＣＨ電力制御方法の応用シナリオを示す図である。
【図７】図７は本発明に係る実施例のＰＵＣＣＨ電力制御装置の構造図である。
【図８】図8は本発明に係る実施例の他のＰＵＣＣＨ電力制御装置の構造図である。
【発明を実施するための形態】
【０００９】
0006309544.tif 000009
【００１０】
0006309544.tif 000010
【００１１】
0006309544.tif 000011
【００１２】
0006309544.tif 000012
【００１３】
0006309544.tif 000013
【００１４】
0006309544.tif 000014
【００１５】
0006309544.tif 000015
【００１６】
0006309544.tif 000016
【００１７】
0006309544.tif 000017
【００１８】
0006309544.tif 000018
【００１９】
0006309544.tif 000019
【００２０】
0006309544.tif 000020
【００２１】
0006309544.tif 000021
【００２２】
0006309544.tif 000022
【００２３】
0006309544.tif 000023
【００２４】
0006309544.tif 000024
【００２５】
0006309544.tif 000025
【００２６】
0006309544.tif 000026
【００２７】
0006309544.tif 000027
【００２８】
0006309544.tif 000028
【００２９】
0006309544.tif 000029
【００３０】
0006309544.tif 000030
【００３１】
0006309544.tif 000031
【００３２】
0006309544.tif 000032
【００３３】
0006309544.tif 000033
【００３４】
0006309544.tif 000034
【００３５】
0006309544.tif 000035
【００３６】
0006309544.tif 000036
【００３７】
0006309544.tif 000037
【００３８】
0006309544.tif 000038
【図１】
0006309544.tif 000059
【図２】
0006309544.tif 000060
【図３ａ】
0006309544.tif 000061
【図３ｂ】
0006309544.tif 000062
【図３ｃ】
0006309544.tif 000063
【図４】
0006309544.tif 000064
【図５】
0006309544.tif 000065
【図６】
0006309544.tif 000066
【図７】
0006309544.tif 000067
【図８】
0006309544.tif 000068
(57)【特許請求の範囲】
【請求項１】
車両への取付け端（１２、１３）および該取付け端間に設けられた２重帽子形状を有する車両用ドアビームであって、横方向フランジ（１６、１７）を備える２つの外側壁（１４、１５）と、２つの内側壁（１８、１９）と、外側壁と内側壁の間に画成され車両から外向きに向けられた２つの頂点（２０、２１）と、内側壁間に画成され車両に向かって内向きに向けられた頂点（２２）とを含む該ドアビームにおいて、外側壁と内側壁との高さの比が取付け端に向かって減少するように外側壁（１４、１５）の高さがビームの中央部材（２５）から取付け端（１２、１３）に向かって減少し、そして内側壁の高さが一定であることを特徴とする前記ドアビーム。
【請求項２】
外側壁（１４、１５）の高さは、少なくとも１つの取付け端（１２、１３）に向かってビームの長さの少なくとも１／４の長さにわたって減少することを特徴とする請求項１に記載のドアビーム。
【請求項３】
外側壁（１４、１５）の高さは、中央部材（２５）から該中央部材の各側で取付け端（１２、１３）に向かって、ビームの長さの少なくとも１／４の長さにわたって減少することを特徴とする請求項１に記載のドアビーム。
【発明の詳細な説明】
【技術分野】
【０００１】
本発明は、車両への取付け端および取付け端間の２重帽子形状（ｄｏｕｂｌｅ  ｈａｔ  ｐｒｏｆｉｌｅ）を有する車両用ドアビームであって、横方向フランジを備える２つの外側壁と、２つの内側壁と、外側壁と内側壁の間に画成され車両から外向きに向けられた２つの頂点と、内側壁間に画成され車両に向かって内向きに向けられた頂点とを含むドアビームに関する。
【背景技術】
【０００２】
２重帽子形状を有するドアビームは、たとえば特許文献１から知られている。
【先行技術文献】
【特許文献】
【０００３】
【特許文献１】米国特許第８０６１７６２Ｂ２号
【発明の概要】
【発明が解決しようとする課題】
【０００４】
本発明の目的は、側面衝突の場合に好ましい変形進行をドアビームに与え、それによりその重量および最大プロファイル高さに対するそのエネルギー吸収を増大することである。
【課題を解決するための手段】
【０００５】
本発明の目的は、外側壁と内側壁との高さの比が取付け端に向かって減少するように、外側壁の高さがビームの中央部材から取付け端に向かって減少するとき達成される。本発明は、特許請求の範囲によって定義される。
【図面の簡単な説明】
【０００６】
【図１】本発明によるドアビームの図である。
【図２】図１における線１〜６によって示されているようにとられたドアビームの６つの断面図である。
【発明を実施するための形態】
【０００７】
図に示されているドアビームは、薄い高強度鋼板からなる。ドアビームは、プレス硬化技術を使用して成形および硬化させる、すなわち冷却された成形型内での同じ操作で熱成形および硬化させることができる。ドアビームは、２つの取付け端１２、１３を有し、これらの取付け端間には、横方向フランジ１６、１７を備える２つの外側壁１４、１５と、２つの内側壁１８、１９とを備える２重帽子形状を有する。外側壁と内側壁の間には、２つの頂点２０、２１が形成され、車両から外向きに向けられている。内側壁間には、車両に向かって内向きに向けられた頂点２２が形成されている。
【０００８】
ビームの中央部材２５上ではプロファイルが一定であり、この中央部材から、外側壁１４、１５の高さが、少なくとも１つの方向で、ビームの長さの少なくとも１／４の長さにわたって、または図のように両方向で減少する。この例では、側壁の高さが両方向に連続的な湾曲で対称的に減少することが示されているが、対称性は必須ではない。外側壁１４、１５の高さは、外側壁と内側壁の間の高さの比が各取付け端に向かってビームの長さの少なくとも１／４の長さにわたって小さくなるように取付け端１２、１３に向かって減少する。内側壁１８、１９の高さは、図のように一定のままとすることができる。一定のプロファイルを有する中央部材は必須ではない。
【０００９】
取付け端１２、１３は、異なる外観を有することができる。この例では、取付け端１２は完全に平坦に示されており、一方、取付け端１３はプロファイルを有する。たとえば、低い単一の帽子形状、または低い２重帽子形状を有することができる。
【図１】
0006410725.tif 000002
【図２】
0006410725.tif 000003
(57)【特許請求の範囲】
【請求項１】
発酵微生物として鰹節菌「ユーロティウムハーバリオラム（Ｅｕｒｏｔｉｕｍ  ｈｅｒｂａｒｉｏｒｕｍ）」（和名：カワキコウジカビ）のみを利用して発酵させ、製造した生ハム
【発明の詳細な説明】
【技術分野】
【０００１】本発明は、鰹節菌を利用して発酵させ、製造した食肉製品に関するものである。
【背景技術】
【０００２】日本の伝統的発酵食品は麹や糠を利用したものが多い。
鰹節菌を利用した鰹節もカビによる発酵食品である。
周知のように、鰹節菌による発酵により、鰹節の中に核酸系旨み成分（イノシン酸）が産生し、代表的な旨み調味料として利用されている。
これを応用すれば、ハムやソーセージ中にもこの旨み成分が産生され、熟成由来のアミノ酸やペプチドの呈味成分と相乗効果を生じて、濃厚な旨みを付与できることが予想された。
生ハムには、ヨーロッパで自然に着生した酵母やカビで発酵し熟成するもの（発酵型）と燻煙するもの（非発酵型）とがある。
日本産の生ハムは非発酵型である。
本発明では、日本独自の有用菌株であり、日本鰹節協会の鰹節優良カビ菌である「ユーロティウムハーバリオラム（Ｅｕｒｏｔｉｕｍ  ｈｅｒｂａｒｉｏｒｕｍ）」（和名：カワキコウジカビ）を利用して、生ハムとサラミソーセージを発酵させた。
研究の結果、生ハムは塩漬した豚肉を発酵し、乾燥・熟成することで、凝縮された濃厚な旨みが付与された製品となった。
サラミソーセージの場合も同様の結果が得られた。
本法は食肉製品の製法に鰹節の製法の一部を応用して、旨みを増強させた和折衷の方法である。鰹節の場合には四番カビまで発生させるが、それでは乾過多となるので、一番カビ発生後に乾燥・熟成した。
この生ハムは、例えれば、生ハムのカマンベール・チーズ様であり、市場にはまだ存在していない新規な発酵食肉製品である。
世界三大生ハムのうちの、プロシュートとハモンセラーノのような高級な熟成風味を有する製品に匹敵する。
生ハムをさらに乾燥を進めれば、ドライハムとなり、イタリア特産のコッパ風の製品になる。
乾燥度の調整は、真空包装することにより乾燥は停止するので、工程内での制御が可能となった。
【先行技術文献】
【特許文献】
【０００３】
【特許文献１】特許公開１９９３−１０３６３１「食肉製品用発酵促進剤と発酵食肉の製造方法」食肉を乳酸菌で発酵させる方法において、オリゴ糖類を増殖促進剤として使用するもの。
【特許文献２】特許公開２００１−１３６９３３「発酵加工食品及びその製造方法」アスペルギルス属とペニシリウム属の菌株を使用して、発酵調味料の製造を目的とするもの。
【特許文献３】特許公開１９９９−２９００２５「鳥獣畜肉発酵加工食品、その製造方法及びその利用」アスペルギルス属の菌株を使用し、食塩無使用の条件下でカビを発育させる食品を対象とするもの。ハム・ソーセージについての記述はなく、生ハムのような非加熱食製品の製造は「食品衛生法」の製造基準で食塩の使用基準（６％以上）が規定されており、食塩無使用では実用的には不可能である。
【非特許文献】
【０００４】
【非特許文献１】中村豊郎、沼田正寛、橋本小由利「カビ発酵サラミソーセージの熟成風味発現に関する基礎的研究」日畜会報、５６（１２）、１９８５  食肉製品のカビ発酵の研究はサラミソーセージのみであり、使用菌株はペニシリウム属である
【非特許文献２】有原圭三「畜産物需要開発調査研究から微生物を利用した新しいタイプの食肉製品の開発」、畜産の情報、２００１年６月号  今まで発酵食肉製品の開発研究は、乳酸菌を利用するのが中心であったことが記載されている。
【非特許文献３】小泉武夫「発酵畜肉のすすめ」、畜産の情報、２００３年３月号  中国の火腿（金華ハム等）では、豚もも肉を使用し、自然に着生するカビにより、乾燥・熟成する。これはいわば中国産鰹節で、鰹節と同程度まで乾燥するので、そのままでは硬すぎて可食できず、用途は細切してスープ等に用いられる発酵調味料である。
【発明の概要】
【発明が解決しようとする課題】食肉製品の製法に鰹節の製法の一部を応用する折衷方法の中で、肉を腐敗させず、いかに鰹節菌をその表面に迅速に発育・増殖させ、熟成させて濃厚な旨みを発現させるかが課題であった。
また、カビの増殖した原料は放置すれば、必要以上に乾燥が進むのでこれを制御する必要があった。
乾燥度により、原料肉の水分が６５％程度ではハム、５５％程度では生ハム、４５％程度ではドライハム、３５％程度ではサラミソーセージ１７％程度では鰹節のような品質になる。
目的とする製品に仕上げるには乾燥度を制御する必要があった。
【課題を解決するための手段】
【０００５】鰹節菌の迅速な発育・増殖には、以下のような最適条件に設定する必要がある。
すなわち、至適温度（２０〜３０℃）、至適湿度（７０〜９５％）
至適ＰＨ（弱酸性）、至適Ａｗ．（０．７〜１．０）、酸素供給
（偏性好気性菌のため）、栄養源（炭素源としてブドウ糖、窒素源として酵母エキス）であった。
さらに、事前に栄養源を菌液に添加しておく、鰹節菌液を前培養しておく、鰹節菌液の菌数を高濃度（１ｍｌ当たり百万個）にする等方法も有効であった。
また、乾燥度の制御には、原料肉が所定の収量に達した時期に、真空包装することで乾燥を停止させ、温度はそのまま維持すれば、熟成を進行させることが出来た。
【発明の効果】
【０００６】新規な、凝縮された濃厚な旨みを有する食肉製品の製造が可能となる。
【発明を実施するための形態】
【実施例１】
【０００７】生ハムの実施例は以下のようである。
新鮮な肩ロース７００ｇを原料とし、これに食塩４２ｇ、グルコース４２ｇと酵母エキス０．４ｇとを乾塩法にて、表面に塗布した。
それから、温度４℃で７日間の間塩漬して、内部に浸透させた。
その後、冷蔵庫から取り出して、ネットに入れ、本鰹節菌液を一面に噴霧した。
次いで、温度２０℃、湿度８５％に調整したカビ室に吊り下げ、カビを発育させた。
カビ室では、毎日１回の割合で、外気を取り入れて空気循環を良くし、酸素の供給を行ってカビの発育を促進させた。
４日後に灰緑色したカビが発育し、９日後に全面に増殖するようになった。
それから、温度１８℃、湿度６５％に調整した乾燥室に移し、７日間乾燥させ、その後通気性のないケーシングにて真空包装して３０日間熟成させた。
このときの最終重量は５０４ｇ（歩留り７２％）であった。
官能評価では、凝縮された濃厚な旨みが感じられ、市販の生ハムにはない独特な熟成風味であった。
【実施例２】サラミソーセージの実施例は以下のようである。
原料として、豚赤身肉１，０００ｇと豚脂肪２００ｇを細切し、食塩３６．と亜硝酸ナトリウム１．５ｍｇとを加えて混和し、温度４℃にて７日間塩漬した。それから、これに氷水１００ｇ、グルコース３６．４ｇと酵母エキス０．３ｇとを加えて混合し、ソーセージエマルジョンを作った。
これを、直径５ｃｍのセルロースケーシングに充填した。
これに本鰹節菌液を噴霧してカビ室に移し、温度２０℃、湿度８５％の条件下で、カビを発育・増殖させた。
その後、乾燥室に移し、温度１８℃、湿度６５％の条件下で、４０日間乾燥・熟成した。この間、外気を取り入れて空気循環を良くし、酸素の供給を行った。
その後、これを通気性のないケーシングに入れて真空包装した。
乾燥終了時の水分含量は３５％であった。
Ａｗ．０．８６、ＰＨは５．０にそれぞれ低下した。
完成品は独特の熟成風味を有し、凝縮された濃厚な旨みをもつサラミソーセージとなった。
(57)【特許請求の範囲】
【請求項１】
板状の壁面に取付穴が形成されており、この壁面の表面側に位置して取付穴を覆うように固定するための筐体の取付金具であって、筐体の裏面に取り付けられた１対のバネ部で構成され、各バネ部は筐体の裏面に固定された位置から後方に延びたあと、前方に折り返され、折り返された先端には凹部が形成され、さらに、この凹部の先端側端縁が曲線状に凹むように切断されており、上記筐体が壁面に固定されている状態では上記折り返された先端は壁面の裏面側に当接しており、上記先端側端部に形成した曲線状の凹みは、この筐体を壁面の表側から取り外す際に、上記先端部が上記取付穴の周縁に引っ掛かって取り外しが困難になることを防止するものであることを特徴とする筐体の取付金具。
【発明の詳細な説明】
【技術分野】
【０００１】
本発明は、照明器具やリモコンなどの筐体を板状の壁面に取り付けるための取付金具に関する。
【背景技術】
【０００２】
例えばユニットバスでは、壁面は鋼板で形成されており、その壁面に照明器具を取り付ける場合には、壁面に取付穴を形成し、その取付穴に照明器具を固定するものが知られている（例えば、特許文献１参照）。
【０００３】
このものでは、照明器具の筐体の背面に後方に延びる雄ねじ部を形成し、壁面に形成した取付穴にその雄ねじ部を表側から裏側に挿通し、壁面の裏側で雄ねじ部にナット部材を螺合させることによって照明器具の筐体とナット部材とで壁面を挟んで、照明器具を壁面に固定している。
【先行技術文献】
【特許文献】
【０００４】
【特許文献１】特開２００１−３５７７０３号公報（図２）
【発明の概要】
【発明が解決しようとする課題】
【０００５】
上記従来の構造では、照明器具の筐体を壁面に固定するためナット部材を壁面の裏側で螺合させ、かつ締め付けなければならないので、固定作業が煩わしいという問題が生じる。また、交換などのため固定した照明器具を壁面から取り外す際にも、壁面の裏側でナット部材を緩めてネジ部から取り外す作業をしなければならない。
【０００６】
そこで本発明は、上記の問題点に鑑み、壁面の表面側から筐体を壁面に対して着脱することのできる筐体の取付金具を提供することを課題とする。
【課題を解決するための手段】
【０００７】
上記課題を解決するために本発明による筐体の取付金具は、板状の壁面に取付穴が形成されており、この壁面の表面側に位置して取付穴を覆うように固定するための筐体の取付金具であって、筐体の裏面に取り付けられた１対のバネ部で構成され、各バネ部は筐体の裏面に固定された位置から後方に延びたあと、前方に折り返され、折り返された先端には凹部が形成され、さらに、この凹部の先端側端縁が曲線状に凹むように切断されており、上記筐体が壁面に固定されている状態では上記折り返された先端は壁面の裏面側に当接しており、この凹部の先端側端部に形成した曲線状の凹みは、この筐体を壁面の表側から取り外す際に、上記先端部が上記取付穴の周縁に引っ掛かって取り外しが困難になることを防止するものであることを特徴とする。
【０００８】
上記１対のバネ部から構成された取付金具を表面側から取付穴に挿入し、取付金具の先端部を取付穴の後側に当接させて筐体を壁面に固定する。また、取り外す際には、筐体を手前に引けば、取付金具が弾性変形して先端部が取付穴を通って外れる。但し、先端部が取付穴の周縁から外れる際に先端部が周縁に引っ掛かって取り外しが困難にならないように、端縁部を曲線状に凹むように切断した。
【発明の効果】
【０００９】
以上の説明から明らかなように、本発明は、取付金具によって筐体を壁面に固定するので、筐体の着脱作業を壁面の表面側だけで行うことができる。
【図面の簡単な説明】
【００１０】
【図１】照明器具を壁面の表面側から取り付ける状態を示す図
【図２】照明器具の背面に固定されている取付金具を示す図
【図３】筐体を壁面に固定した状態を示す平面図
【図４】取付金具の先端形状を示す図
【図５】取り外す際の先端部の状態を示す図
【発明を実施するための形態】
【００１１】
図１を参照して、１はユニットバスルームの壁面で有り、鋼板で形成されている。その壁面１に照明器具２を取り付けるための取付穴１１が形成されている。照明器具２の背面には電源コード２１が接続されており、この電源コード２１を取付穴１１に挿通した状態で照明器具２を壁面１の内側から取付穴１１を覆うように取り付ける。
【００１２】
図２及び図３を参照して、照明器具２の背面にはバネ板からなる取付金具３が固定されている。この取付金具３は中心位置を挟んで両側に、後方に向かう第１腕部３１と、この第１腕部３１に連続して前方に折り曲げられた第２腕部とがそれぞれ設けられている。そして、第２腕部３２の先端側には外側に凹んだ凹部３３と先端部３４とが形成されている。
【００１３】
この状態で取付穴１１に対して第１腕部３１及び第２腕部３２を差し込むと、第１腕部３１及び第２腕部３２とが取付穴１１を通って壁面１の裏側に移動し、一旦、凹部３３内に取付穴１１の周縁が係合する。その状態から照明器具２を左右いずれか一方にスライドさせると、スライドさせた側の第１腕部３１と第２腕部３２とが弾性変形し、他方の先端部３４が取付穴１１を通って壁面１の裏側に回り込む。その後、照明器具２を反対側にスライドさせ、残りの先端部３４を壁面１の裏側に移動させて図３に示す状態にすることによって、照明器具２の壁面１への取り付け作業が完了する。
【００１４】
逆に、照明器具２を壁面１から取り外す際には、照明器具２を左右いずれかにスライドさせながら上下一方に傾け、スライド方向に対して反対側の先端部３４を取付穴１１の周縁に当接させ、そのまま手前側に引くことによって第１腕部３１と第２腕部３２とを内側に弾性変形させ、上記反対側の先端部３４を取付穴１１より手前側に移動させる。このように片側の先端部３４が取付穴１１から外れると残りの先端部３４はそのまま取付穴１１から手前に引き出すことができる。このようにして照明器具２を壁面１から取り外すようにした。
【００１５】
なお、この取り外しの際に先端部３４が取付穴１１の周縁に当接した状態で先端部３４が取付穴１１の周縁に引っ掛からないように、図４および図５に示すように、曲線状に凹むように切断し、曲線部３４ａが１対の直線部３４ｂで挟まれるようにした。このような形状にすることにより、取付穴１１の周縁が曲線部３４ａに当接しても、曲線部３４ａ内を周縁が移動して直線部３４ｂに移動するので、先端部３４が周縁に引っ掛かりにくくなる。
【００１６】
なお、本発明は上記した形態に限定されるものではなく、本発明の要旨を逸脱しない範囲内において種々の変更を加えてもかまわない。例えば上記実施の形態では、照明器具を壁面に取り付ける場合について説明したが、リモコン等の他の電子機器の筐体を壁面に取り付ける場合にも適用することができる。
【符号の説明】
【００１７】
１ 壁面
２ 照明器具
３ 取付金具
１１ 取付穴
３３ 凹部
３４ 先端部
３４ａ 曲線部
３４ｂ 直線部
【図１】
0006410300.tif 000002
【図２】
0006410300.tif 000003
【図３】
0006410300.tif 000004
【図４】
0006410300.tif 000005
【図５】
0006410300.tif 000006
(57)【特許請求の範囲】
【請求項１】
フィルタ（３）を取り囲むように構成されたフィルタヒータ（１）であって、フィルタヒータ（１）が、２つの同様の半分部（５ａ、５ｂ）を備え、該２つの同様の半分部（５ａ、５ｂ）がそれぞれ、１つの側部に突出した取っ手（６ａ、６ｂ）を有し、取っ手が、取っ手を互いに対して挟圧することにより、取っ手（６ａ、６ｂ）の反対側の、２つの半分部（５ａ、５ｂ）の面（１０ａ、１０ｂ）が互いに切り離されるようにばね機構によって一緒に保持されているフィルタヒータ（１）。
【請求項２】
半分部（５ａ、５ｂ）のそれぞれからの突出部（１４ａ、１４ｂ）をさらに備え、該突出部（１４ａ、１４ｂ）が、フィルタヒータが閉鎖されてフィルタを囲むときにスタンド（２０）において一緒に保持されるように適合されている、請求項１に記載のフィルタヒータ（１）。
【請求項３】
２つの同様の半分部（５ａ、５ｂ）の内部に、取り囲まれたフィルタを加熱するように適合された電気加熱器を備える、請求項１又は請求項２に記載のフィルタヒータ（１）。
【請求項４】
請求項１乃至請求項３のいずれか１項に記載のフィルタヒータ（１）及びスタンド（２０）を備えるフィルタヒータ装置であって、スタンド（２０）が、３以上の脚（２２ａ、ｂ、ｃ、ｄ）及びスタンド（２０）が置かれる表面よりも脚によって高い位置に置かれたフィルタ保持部（２４）を備え、スタンド（２０）のフィルタ保持部（２４）が、半分部（５ａ、５ｂ）が、スタンド（２０）において一緒に保持されるようにフィルタヒータ（１）の２つの同様の半分部（５ａ、５ｂ）の突出部（１４ａ、１４ｂ）を受けれるよう構成されているフィルタヒータ装置。
【請求項５】
フィルタ保持部（２４）が、フィルタ（３）に取り付けられるチューブを受け入れるための開口（２８）を備える、請求項４に記載のフィルタヒータ装置。
【発明の詳細な説明】
【技術分野】
【０００１】
本発明は、フィルタヒータ装置及びフィルタヒータに関する。
【背景技術】
【０００２】
例えばバイオリアクタ又は発酵槽で使用されるフィルタは、凝固した液体が目詰まりを起こすことを防止する目的で凝固した液体を除去するために加熱される必要がある。フィルタを加熱するために、フィルタヒータによってフィルタを取り囲むことが適当である。フィルタは、入口接続部及び出口接続部を有し得る。好ましくは、フィルタヒータは、フィルタに対する接続チューブ又は他の接続具を取り外すことなくフィルタに取り付けることができるべきである。従来技術のフィルタヒータは、フィルタに取り付けることが困難であり、さらに、フィルタ、フィルタヒータ、及びチューブの組合せは、いささかかさばり、取り扱いが容易ではない。
【先行技術文献】
【特許文献】
【０００３】
【特許文献１】米国特許出願公開第２００８０１７９２３９号明細書
【発明の概要】
【０００４】
本発明の目的は、取り扱いが容易なフィルタヒータ並びにフィルタ及びフィルタヒータ用の、取り扱いが容易でロバストなスタンドを提供することである。
【０００５】
このことは、請求項１に記載のフィルタヒータ及び請求項４に記載のフィルタヒータ装置において達成される。これにより、フィルタヒータは、片手の使用のみによってフィルタに取り付けることができ、フィルタ及びフィルタヒータは共に、確実に直立姿勢に保持され得る。スタンドは、フィルタを囲むフィルタヒータの部分を一緒に保持する。
【図面の簡単な説明】
【０００６】
【図１】本発明に係るフィルタヒータを示している。
【図２】本発明に係るフィルタヒータ及びスタンドを備えるフィルタヒータ装置を示している。
【図３】本発明に係るフィルタ、フィルタヒータ、及びスタンドを示している。
【図４】スタンドを示している。
【発明を実施するための形態】
【０００７】
図１は、本発明に係るフィルタヒータ１を示している。フィルタヒータ１は、フィルタ３（図３に示されている）を取り囲むように構成されており、フィルタ３は、一方又は両方の端部において例えばチューブ又は他の装置に接続され得る。フィルタヒータ１は、２つの同様の半分部５ａ、５ｂを備え、２つの同様の半分部５ａ、５ｂはそれぞれ、１つの側部に突出した取っ手６ａ、６ｂを有する。半分部５ａ、５ｂは、全く同じであってもよく、これは、構造上の理由から都合がよい。取っ手は、取っ手を互いに対して挟圧することにより、取っ手の反対側の、２つの半分部の面１０ａ、１０ｂが互いに切り離されるようにばね機構によって一緒に保持されている。取っ手６ａ、６ｂを放すと、２つの半分部５ａ、５ｂは閉鎖されてフィルタ３を囲む。フィルタヒータ１の２つの半分部５ａ、５ｂが閉鎖されると、フィルタ出口又はフィルタ出口との接続チューブを受け入れるための第１の開口１２ａが形成され、フィルタ入口又はフィルタ入口との接続チューブを受け入れるための第２の開口１２ｂが形成される。半分部５ａ、５ｂのそれぞれは、第１の開口１２ａ又は第２の開口１２ｂの少なくとも一方の付近に、フィルタ３を囲む２つの半分部を一緒に保持するために及びフィルタを直立姿勢に保持するためにスタンドに受け入れられるように適合された突出部１４ａ、１４ｂを備える。横たえる代わりにフィルタを直立姿勢にする利点は、フィルタの下面における凝固が、フィルタが接続され得る例えばバイオリアクタに戻ることである。フィルタヒータ１は、電気加熱器によってフィルタを加熱する。抵抗加熱器が、半分部５ａ、５ｂのそれぞれの内部に設けられる。
【０００８】
図２は、上で説明したようなフィルタヒータ１及び本発明に係るスタンド２０を備えるフィルタヒータ装置を示している。スタンドは、３以上の、適切には４つの脚２２ａ、ｂ、ｃ、ｄを備える。また、スタンドは、スタンド２０が置かれる表面よりも脚２２ａ、ｂ、ｃ、ｄによって高い位置に置かれたフィルタ保持部２４を備える。フィルタ保持部２４は、フィルタヒータ１及び取り囲まれたフィルタ３の、スタンド２０への挿入時に、フィルタ入口に取り付けられている場合があるチューブを受け入れるための開口２８を備える。
【０００９】
また、スタンド２０のフィルタ保持部２４は、半分部５ａ、５ｂが、スタンド２０において一緒に保持されるようにフィルタヒータ１の２つの同様の半分部５ａ、５ｂの突出部１４ａ、１４ｂを受け入れる。
【００１０】
図３は、本発明に係るフィルタ３、フィルタヒータ１、及びスタンド２０を示している。
【００１１】
図４は、スタンド２０を示している。
【００１２】
本発明は、片手のみの使用によってフィルタに適用すること及びフィルタから取り外すことが可能である、取り扱いが容易なフィルタヒータを提供する。また、フィルタヒータは、直立姿勢でスタンドに取り付けることができ、２つの半分部は、スタンドによって一緒に保持される。さらに、フィルタとの接続具は、本発明に係るこの装置によって好適に取り扱われ得る。接続具は、フィルタヒータが、フィルタに適用されるとき又はフィルタから取り外されるときに全く影響を受けず、チューブ接続具は、スタンドの開口を通して挿入され得る。
【図１】
0006314218.tif 000002
【図２】
0006314218.tif 000003
【図３】
0006314218.tif 000004
【図４】
0006314218.tif 000005